(57)【特許請求の範囲】
【請求項１】
水栓機能部品を覆うカバーを有するカバー水栓であって、
取付対象の壁に設けられた貫通孔を通って表側に突出した給水管に接続される第１の止水栓と、
前記壁に設けられた貫通孔を通って表側に突出した給湯管に接続される第２の止水栓と、
前記第１の止水栓および前記第２の止水栓と、直接的もしくは間接的に配管で接続される水栓機能部品ユニットと、
前記壁に固定され、所定の位置に固定部を有する支持材と、
前記第１の止水栓が前記給水管に対して回転することおよび前記第２の止水栓が前記給湯管に対して回転することを抑制する回転抑制手段と、を備え、
前記第１の止水栓、前記第２の止水栓及び前記水栓機能部品ユニットは、別体に形成され、
前記水栓機能部品ユニットは、前記固定部に固定されることで前記支持材に支持され、
前記支持材は、前記給水管および前記給湯管が前記支持材に対して所望の相対位置に配置されるよう、前記支持材に対する前記給水管および前記給湯管の相対的な位置出しを行う相対位置出し手段を有し、
前記回転抑制手段は、前記第１の止水栓および前記第２の止水栓を連結することによって前記第１の止水栓および前記第２の止水栓の回転を抑制することを特徴とするカバー水栓。
【請求項２】
前記支持材は、前記壁の表側の壁面に沿って延びる基部を有し、
前記相対位置出し手段は、前記基部に所定の間隔で設けられた、前記給水管を挿通可能な第一の孔および前記給湯管を挿通可能な第二の孔であることを特徴とする請求項１に記載のカバー水栓。
【請求項３】
前記給水管および前記給湯管は、前記壁の裏側において前記壁の裏側の壁面に沿って外方に延びるフランジを有し、前記壁の表側の前記給水管および前記給湯管のそれぞれにはナットが螺合され、前記フランジと前記ナットによって前記壁を挟みこむことで前記給水管および前記給湯管は前記壁に固定されるよう構成されており、
前記第一の孔および前記第二の孔は、前記ナットが挿通可能に設けられると共に、前記第一の孔および前記第二の孔を形成する内周面によって前記ナットの外周面を拘束することで、前記支持材に対する前記ナットの相対的な位置出しを行うことを特徴とする請求項２に記載のカバー水栓。
【請求項４】
前記支持材の前記第一の孔および前記第二の孔の形状は、前記第一の孔および前記第二の孔に前記ナットを挿通した状態で前記ナットを回転可能な形状に構成されていることを特徴とする請求項３に記載のカバー水栓。
【請求項５】
前記支持材は、第一の孔および前記第二の孔の周縁部に、前方に突出する突起を設けていることを特徴とする請求項４に記載のカバー水栓。
【発明の詳細な説明】
【技術分野】
【０００１】
本発明の態様は、一般的に、カバー水栓に関する。
【背景技術】
【０００２】
例えば、湯又は水を供給する配管が接続されるカバー水栓がある（特許文献１）。特許文献１に記載のカバー水栓は、カバー内に複数の水栓機能部品（止水栓、温調機能ユニットなど）を内蔵する。
【０００３】
ここで、例えば特許文献１に記載されたようなカバー水栓を小型化する場合には、小型化する前と比較して、カバー水栓の内部に設けられた配管であって水栓機能部品同士を繋ぐ配管を短くする必要がある。配管には金属製のものが用いられることが多いため、特に、相対的に短い配管の剛性は相対的に長い配管の剛性よりも高くなる。したがって、カバー水栓内部の水栓機能部品同士の相対位置が所望の相対位置からずれてしまうと、配管側でそれらの部品同士を繋ぐよう調整することが困難となる。そのため、カバー水栓を小型化する場合には、カバー水栓が内蔵する複数の水栓機能部品の位置出しに対して高い精度が求められる。
【０００４】
しかし、特許文献１に記載のカバー水栓は、壁にねじで固定された２つのバックハンガ金具のそれぞれに取り付けられたブラケットに水栓機能部品を固定するため、バックハンガの壁への取り付け位置にばらつきが生じやすい。したがって、結果的に給水管や給湯管に接続される止水栓と支持材に固定される他の水栓機能部品との相対位置関係にばらつきが生じやすくなってしまうため、上述したように、カバー水栓を小型化しようとした場合に、配管によって水栓機能部品同士を接続することが困難となってしまう。
【先行技術文献】
【特許文献】
【０００５】
【特許文献１】特許第４０９８６００号公報
【発明の概要】
【発明が解決しようとする課題】
【０００６】
本発明は、かかる課題の認識に基づいてなされたものであり、複数の水栓機能部品を所望の相対位置関係に配置可能なカバー水栓を提供することを目的とする。
【課題を解決するための手段】
【０００７】
第１の発明は、水栓機能部品を覆うカバーを有するカバー水栓であって、取付対象の壁に設けられた貫通孔を通って表側に突出した給水管に接続される第１の止水栓と、前記壁に設けられた貫通孔を通って表側に突出した給湯管に接続される第２の止水栓と、前記第１の止水栓および前記第２の止水栓と、直接的もしくは間接的に配管で接続される水栓機能部品ユニットと、前記壁に固定され、所定の位置に固定部を有する支持材と、前記第１の止水栓が前記給水管に対して回転することおよび前記第２の止水栓が前記給湯管に対して回転することを抑制する回転抑制手段と、を備え、前記第１の止水栓、前記第２の止水栓及び前記水栓機能部品ユニットは、別体に形成され、前記水栓機能部品ユニットは、前記固定部に固定されることで前記支持材に支持され、前記支持材は、前記給水管および前記給湯管が前記支持材に対して所望の相対位置に配置されるよう、前記支持材に対する前記給水管および前記給湯管の相対的な位置出しを行う相対位置出し手段を有し、前記回転抑制手段は、前記第１の止水栓および前記第２の止水栓を連結することによって前記第１の止水栓および前記第２の止水栓の回転を抑制することを特徴とするカバー水栓である。
【０００８】
このカバー水栓によれば、このカバー水栓によれば、第三の水栓機能部品を固定する固定部を所定の位置に有する支持材自体によって、支持材に対する給水管および給湯管の相対的な位置出しを行うため、結果的に、給水管に接続される第一の水栓機能部品、給湯管に接続される第二の水栓機能部品、および第三の水栓機能部品の相対位置関係を所望の相対位置関係で配置することができる。このため、カバー水栓を小型化した場合であっても、より確実に水栓機能部品同士を配管で接続することが可能となる。
【０００９】
第２の発明は、第１の発明において、前記支持材は、前記壁の表側の壁面に沿って延びる基部を有し、前記相対位置出し手段は、前記基部に所定の間隔で設けられた、前記給水管を挿通可能な第一の孔および前記給湯管を挿通可能な第二の孔であることを特徴とするカバー水栓である。
【００１０】
このカバー水栓によれば、支持材に孔を設けるという簡単な構成によって、第一の水栓機能部品、第二の水栓機能部品、および第三の水栓機能部品の相対位置関係を所望の相対位置関係で配置することができる。
【００１１】
第３の発明は、第２の発明において、前記給水管および前記給湯管は、前記壁の裏側において前記壁の裏側の壁面に沿って外方に延びるフランジを有し、前記壁の表側の前記給水管および前記給湯管のそれぞれにはナットが螺合され、前記フランジと前記ナットによって前記壁を挟みこむことで前記給水管および前記給湯管は前記壁に固定されるよう構成されており、前記第一の孔および前記第二の孔は、前記ナットが挿通可能に設けられると共に、前記第一の孔および前記第二の孔を形成する内周面によって前記ナットを拘束することで、前記支持材に対する前記ナットの相対的な位置出しを行うことを特徴とするカバー水栓である。
【００１２】
このカバー水栓によれば、カバー水栓を施工する際、予めナットを給水管および給湯管に螺合させた場合であっても、作業の手間を増やすことなく、支持材によって支持材に対する給水管および給湯管の相対的な位置出しを行うことができる。
すなわち、カバー水栓を施工する際、予め壁の表側に突出した給水管および給湯管にナットを螺合させることで、このナットにより壁の貫通孔から表側に突出した給水管および給湯管が、壁の裏側に抜けてしまうことを防ぐことができるが、このような施工対応を行った場合でも、第一の孔および第二の孔はナットが挿通可能に設けられているため、ナットを給水管および給湯管に螺合させたまま（言い換えると、ナットを給水管および給湯管から取り外すことなく）、支持材によって支持材に対する給水管および給湯管の相対的な位置出しを行うことができる。
【００１３】
第４の発明は、第３の発明において、前記支持材の前記第一の孔および前記第二の孔の形状は、前記第一の孔および前記第二の孔に前記ナットを挿通した状態で前記ナットを回転可能な形状に構成されていること特徴とするカバー水栓である。
【００１４】
このカバー水栓によれば、ナットを第一の孔および第二の孔に挿通させた状態でナットを回転させることができため、ナットを第一の孔および第二の孔に挿通させた状態で、ナットを締め付けたりや緩ませるなどの調整が可能となる。そのため、施工時の作業性が良い。
【００１５】
第５の発明は、第４の発明において、前記支持材は、第一の孔および前記第二の孔の周縁部に、前方に突出する突起を設けていることを特徴とするカバー水栓である。
【００１６】
このカバー水栓によれば、支持材における第一の孔および第二の孔の周縁部に、前方に突出する突起を設けているため、ナットを緩めすぎてしまい、ナットが第一の孔もしくは第二の孔よりも大きく前方側まで移動したとしても、ナットを螺合させている第一の孔もしくは第二の孔にナットを挿入する際に、ナットを螺合させている第一の孔もしくは第二の孔の周縁部にナットが乗り上げた状態でナットが締め付けられてしまうことを抑制できる。すなわち、第一の孔もしくは第二の孔の周縁部にナットが乗り上げそうになった場合は、ナットを螺合させている第一の孔もしくは第二の孔の周縁部に設けた突起にナットが当接し、壁近傍まで締め付けることが困難となるため、施工作業者がナットが乗り上げた状態（つまり、第一の孔および第二の孔によってナットが拘束されていない状態）であることに気づくことができる。よって、より確実に、第一の水栓機能部品、第二の水栓機能部品、および第三の水栓機能部品の相対位置関係を所望の相対位置関係で配置することが可能となる。
【発明の効果】
【００１７】
本発明の態様によれば、複数の水栓機能部品を所望の相対位置関係に配置可能なカバー水栓が提供される。
【図面の簡単な説明】
【００１８】
【図１】本発明の実施の形態にかかるカバー水栓を表す模式的斜視図である。
【図２】本実施形態にかかるカバー水栓を表す模式的分解図である。
【図３】本実施形態にかかるカバー水栓を下方から眺めたときの模式的平面図である。
【図４】本実施形態にかかるカバー水栓を上方から眺めたときの模式的平面図である。
【図５】本実施形態の回転抑制手段が第１の止水栓および第２の止水栓を固定した状態を表す模式的斜視図である。
【図６】第１の止水栓と給水管との間の接続を説明する模式図である。
【図７】給水管または給湯管の近傍を拡大した模式的拡大図である。
【発明を実施するための形態】
【００１９】
以下、本発明の実施の形態について図面を参照しつつ説明する。なお、各図面中、同様の構成要素には同一の符号を付して詳細な説明は適宜省略する。  
図１は、本発明の実施の形態にかかるカバー水栓を表す模式的斜視図である。  
図２は、本実施形態にかかるカバー水栓を表す模式的分解図である。  
図１（ａ）は、本実施形態にかかるカバー水栓を斜め上方から眺めたときの模式的斜視図である。図１（ｂ）は、本実施形態にかかるカバー水栓を斜め下方から眺めたときの模式的斜視図である。
【００２０】
図１（ａ）〜図２に表したように、本実施形態にかかるカバー水栓１００は、カバー１０５と、水栓機能部品ユニット１１０（第三の水栓機能部品）と、第１の止水栓１２０（第一の水栓機能部品）と、第２の止水栓１３０（第二の水栓機能部品）と、回転抑制手
段１４０と、支持材１６０と、を備える。また、カバー水栓１００は、下カバー取付材１５０と、シャワーエルボ１７０と、締結部材１８１と、を備える。
【００２１】
カバー１０５は、上カバー１０１と、下カバー１０２と、を有する。カバー水栓１００は、上カバー１０１と、下カバー１０２と、の間において、水栓機能部品ユニット１１０、第１の止水栓１２０、および第２の止水栓１３０などの水栓機能部品の少なくとも一部を内蔵する。カバー水栓１００は、例えば浴室などの壁（取付対象の壁）２１０に固定される。
【００２２】
水栓機能部品ユニット１１０は、複数の水栓機能部品を一つまとまりとしてユニット化したものであり、支持材１６０に固定されると共に支持材１６０に支持される。水栓機能部品ユニット１１０は複数の水栓機能部品として、サーモユニット１１１と、流調ユニット１１３と、ボタンユニット１１５と、スパウト１１７と、を有する。サーモユニット１１１は、スパウト１１７あるいはシャワーヘッド（図示せず）から吐出される水の温度を調整する。なお、シャワーヘッドは、シャワーエルボ１７０に接続されたシャワーホースの一端部に設けられる。流調ユニット１１３は、スパウト１１７あるいはシャワーヘッド（
図示せず）から吐出される水の流量を調整する。ボタンユニット１１５は、水がスパウト１１７から吐出される状態と、水がシャワーヘッド（図示せず）から吐出される状態と、を切り替えることできる。
【００２３】
第１の止水栓１２０は、操作部１２１と、接続部１２７（図６（ｂ）参照）と、を有する。第１の止水栓１２０は、接続部１２７において壁２１０から貫通孔２２０ａを通って表側に突出した給水管２２０に接続され、操作部１２１を操作することで、給水管２２０を通して供給される水の圧力を調整したり、給水管２２０を通して供給される水を止めたりする。第１の止水栓１２０は、金属製の第１の配管１２９を介してサーモユニット１１１に接続されている。図１（ｂ）に表したように、第１の止水栓１２０の操作部１２１は、第１の止水栓１２０の下部に設けられ、下カバー１０２を通してカバー１０５の外側に位置する。操作部１２１は、溝１２２を有する。そのため、例えば使用者は、カバー１０５の外側から第１の止水栓１２０の操作部１２１の溝１２２にマイナスドライバなどの工具を嵌めて回すことで、操作部１２１を操作することができる。
【００２４】
第２の止水栓１３０は、操作部１３１と、接続部と、を有する。図６（ｂ）に関して後述するように、第２の止水栓１３０の接続部の構造は、第１の止水栓１２０の接続部１２７の構造と同じである。第２の止水栓１３０は、接続部において壁２１０から貫通孔２３０ａを通って表側に突出した給湯管２３０に接続され、操作部１３１を操作することで、給湯管２３０を通して供給される湯の圧力を調整したり、給湯管２３０を通して供給される湯を止めたりする。第２の止水栓１３０は、金属製の第２の配管１３９を介してサーモユニット１１１に接続されている。図１（ｂ）に表したように、第２の止水栓１３０の操作部１３１は、第２の止水栓１３０の下部に設けられ、下カバー１０２を通してカバー１０５の外側に位置する。操作部１３１は、溝１３２を有する。そのため、例えば使用者は、カバー１０５の外側から第２の止水栓１３０の操作部１３１の溝１３２にマイナスドライバなどの工具を嵌めて回すことで、操作部１３１を操作することができる。
【００２５】
本実施形態では、第１の止水栓１２０が給水管２２０に接続され、第２の止水栓１３０が給湯管２３０に接続される場合を例に挙げる。
【００２６】
回転抑制手段１４０は、第１の止水栓１２０および第２の止水栓１３０の両者を連結するように取り付けられ、第１の止水栓１２０および第２の止水栓１３０が回転することを抑制する。  
下カバー取付材１５０は、回転抑制手段１４０に固定され、下カバー１０２を支持する。具体的には、締結部材１８１は、下カバー１０２を通して下カバー取付材１５０と結合することで、下カバー１０２と下カバー取付材１５０とを締結する。なお、図２に表した例では、下カバー取付材１５０は、回転抑制手段１４０と別体として設けられているが、回転抑制手段１４０と一体として設けられていてもよい。
【００２７】
支持材１６０は、水栓機能部品ユニット１１０と、上カバー１０１と、下カバー１０２と、を支持し、壁２１０に固定される。具体的には、水栓機能部品ユニット１１０、上カバー１０１、および下カバー１０２は、例えばねじなどの締結部材により支持材１６０に固定されている。支持材１６０が水栓機能部品ユニット１１０と、上カバー１０１と、下カバー１０２と、を支持した状態で壁２１０に固定されることにより、カバー水栓１００は、壁２１０に固定される。水栓機能部品ユニット１１０の左右端部にはそれぞれ、ねじ孔１１９ａを有する被固定部１１９が設けられており、一方、支持材１６０の左右端部にはそれぞれ、ねじ孔１６９ａを有する固定部１６９が設けられており、被固定部１１９のねじ孔１１９ａおよび固定部１６９のねじ孔１６９ａの両者を挿通するようねじをねじ込むことによって、水栓機能部品ユニット１１０は、支持材１６０に固定されると共に支持される。なお、支持材１６０は、壁２１０の表側の壁面に沿って延びる基部１６７と基部１６７の左右両端から前方に延出する前延部１６４を有しており、固定部１６９は、前延部１６４の前方先端側の上部に設けられている。また、基部１６７には、ねじ孔１６７ａが複数設けられており、このねじ孔１６７ａにねじを挿入することで、支持材１６０は壁２１０に固定される。また、支持材１６０の基部１６７には、第一の孔１６１ｂおよび第二の孔１６１ａ（相対位置出し手段）が所定間隔で設けられている。第一の孔１６１ｂおよび第二の孔１６１ａはいずれも円形の孔であり、後述するフランジ付きナット１８５、１８７のフランジ部１８５ａ、１８７ａの外形と略同一の形状かつ同一の径を有している（フランジ部１８５ａ、１８７ａの径と略同一径だか、フランジ部１８５ａ、１８７ａが挿通可能なように、フランジ部１８５ａ、１８７ａの径よりもほんのわずかに小さい）。
このように構成することで、第一の孔１６１ｂおよび第二の孔１６１ａを形成する内周面１６１ａａ、１６１ｂａによって、フランジ付きナットを拘束する。  
【００２８】
図３は、本実施形態にかかるカバー水栓を下方から眺めたときの模式的平面図である。  図４は、本実施形態にかかるカバー水栓を上方から眺めたときの模式的平面図である。  図５は、本実施形態の回転抑制手段が第１の止水栓および第２の止水栓を固定した状態を表す模式的斜視図である。  
図６は、第１の止水栓と給水管との間の接続を説明する模式図である。  
図６（ａ）は、本実施形態にかかるカバー水栓を図４に表した矢印Ａ１１の方向に眺めたときの模式的平面図である。図６（ｂ）は、図６（ａ）に表した切断面Ｂ１−Ｂ１における模式的断面図である。  
図３および図４では、説明の便宜上、カバー１０５を省略している。
【００２９】
図３〜図５に表したように、第１の止水栓１２０は、袋ナット１２３により給水管２２０に接続され固定される。具体的には、図６（ｂ）に表したように、給水管２２０の部分であって壁２１０から突出した部分には、おねじ２２３が設けられている。一方、袋ナット１２３の内側には、めねじ１２３ａが設けられている。袋ナット１２３が給水管２２０と結合し、袋ナット１２３の一部が第１の止水栓１２０の接続部１２７と当接することで、第１の止水栓１２０は、接続部１２７を給水管２２０の先端面に押圧した状態で給水管２２０に接続される。図６（ｂ）に表した例では、第１の止水栓１２０の接続部１２７は、パッキン１２８を介して給水管２２０の先端面と当接している。これにより、第１の止水栓１２０の前後方向における位置精度をより高めることができる。なお、本実施形態においては、袋ナット１２３は第１の止水栓１２０に予め取り付けられた形態であるが、袋ナット１２３は、給水管２２０の先端部に予め取り付けられた形態であっても構わない。この場合、袋ナット１２３の一部は、給水管２２０の先端部の一部に当接する形態となる。
【００３０】
第１の止水栓１２０の操作部１２１の（回転）軸Ａ２は、第１の止水栓１２０の接続部１２７の軸Ａ１と直交する。
【００３１】
図３〜図５に表したように、第２の止水栓１３０は、袋ナット１３３により給湯管２３０に接続され固定される。第２の止水栓１３０と給湯管２３０との間の接続構造は、第１の止水栓１２０と給水管２２０との間の接続構造と同じである。具体的には、給湯管２３０の部分であって壁２１０から突出した部分には、おねじが設けられている。一方、袋ナット１３３の内側には、めねじが設けられている。袋ナット１３３が給湯管２３０と結合し、袋ナット１３３の一部が第２の止水栓１３０の接続部と当接することで、第２の止水栓１３０は、第２の止水栓１３０の接続部を給湯管２３０の先端面に押圧した状態で給湯管２３０に接続される。これにより、第２の止水栓１３０の位置精度をより高めることができる。
【００３２】
第２の止水栓１３０の操作部１３１の（回転）軸Ａ４は、第２の止水栓１３０の接続部の軸Ａ３と直交する。
【００３３】
ここで、前述したように、第１の止水栓１２０は、袋ナット１２３により押圧状態で給水管２２０に接続されている。そのため、例えば使用者が第１の止水栓１２０の操作部１２１を操作したときに第１の止水栓１２０が軸Ａ１まわりに回転すると、袋ナット１２３と、第１の止水栓１２０の接続部１２７と、の間の摩擦力により、袋ナット１２３が回転するおそれがある。袋ナット１２３が回転すると、漏水が発生するおそれがある。
【００３４】
また、前述したように、第２の止水栓１３０は、袋ナット１３３により押圧状態で給湯管２３０に接続されている。そのため、例えば使用者が第２の止水栓１３０の操作部１３１を操作したときに意図しない力が作用して第２の止水栓１３０自体が軸Ａ３まわりに回転すると、袋ナット１３３と、第２の止水栓１３０の接続部と、の間の摩擦力により、袋ナット１３３が回転するおそれがある。袋ナットが回転すると、漏水が発生するおそれがある。
【００３５】
これに対して、本実施形態にかかるカバー水栓１００は、回転抑制手段１４０を備える。図３〜図５に表したように、回転制御手段１４０は断面が略Ｌ字状に形成された部材であり、金属製である。回転制御手段１４０は、第１の止水栓１２０および第２の止水栓１３０のそれぞれの上端を、第１の止水栓１２０と第２の止水栓１３０とが互いに回転を抑制し合うように連結している。具体的には、回転制御手段１４０は、第１の止水栓１２０および第２の止水栓１３０のそれぞれの上端に設けられた後述する固定部１２５および固定部１３５に例えばねじなどの締結部材１８３により固定されている。
【００３６】
これにより、例えば使用者が第１の止水栓１２０の操作部１２１を操作したときに第１の止水栓１２０が回転することを抑制することができる。また、例えば使用者が第２の止水栓１３０の操作部１３１を操作したときに第２の止水栓１３０が回転することを抑制することができる。そのため、第１の止水栓１２０と給水管２２０との間の接続部分において漏水が発生することを抑えることができる。また、第２の止水栓１３０と給湯管２３０との間の接続部分において漏水が発生することを抑えることができる。
【００３７】
さらに、第１の止水栓１２０が袋ナット１２３により押圧状態で給水管２２０に接続されるため、第１の止水栓１２０の位置精度をより高めることができる。また、第２の止水栓１３０が袋ナット１３３により押圧状態で給湯管２３０に接続されるため、第２の止水栓１３０の位置精度をより高めることができる。これにより、カバー水栓１００のコンパクト化を図ることができる。
【００３８】
図５に表したように、回転抑制手段１４０は、第１の止水栓１２０と第２の止水栓１３０とを連結する構造を有し、第１の止水栓１２０と第２の止水栓１３０とが互いに回転することを抑制する。
【００３９】
これによれば、回転抑制手段１４０は、第１の止水栓１２０と第２の止水栓１３０とを連結するという比較的簡単な構造により、第１の止水栓１２０および第２の止水栓１３０の回転を抑制することができる。また、第１の止水栓１２０および第２の止水栓１３０は、互いに回転することを抑制されるため、回転抑制手段１４０は、第１の止水栓１２０および第２の止水栓１３０の回転をより確実に抑制することができる。
【００４０】
図５に表したように、第１の止水栓１２０は、締結部１２５を有する。第２の止水栓１３０は、締結部１３５を有する。締結部１２５および締結部１３５はそれぞれ、第１の止水栓１２０および第２の止水栓１３０の上端部から後方に向かって、幅広かつ水平に延設されている。また、締結部１２５および締結部１３５のそれぞれの左右の両端には、締結部材１８３を挿入するための孔（図示省略）が設けられている。そして、回転抑制手段１４０は、第１の止水栓１２０の締結部１２５と、第２の止水栓１３０の締結部１３５と、において締結部材１８３により固定されている。言い換えれば、締結部材１８３を取り外すことにより、第１の止水栓１２０および第２の止水栓１３０から回転抑制手段１４０を取り外すことができる。つまり、回転抑制手段１４０は、第１の止水栓１２０の締結部１２５と、第２の止水栓１３０の締結部１３５と、に対して着脱自在に設けられている。
【００４１】
図２および図５に表したように、回転抑制手段１４０は、孔１４１を有する。図２および図３に表したように、下カバー取付材１５０は、孔１５１および孔１５３を有する。締結部材１８３が下カバー取付材１５０の孔１５３を挿通して回転抑制手段１４０の孔１４１と結合することにより、下カバー取付材１５０は、回転抑制手段１４０に取り付けられる。締結部材１８１が下カバー１０２の孔１０２ａ（図１（ｂ）参照）を挿通して下カバー取付材１５０の孔１５１と結合することにより、下カバー１０２は、下カバー取付材１５０に固定される。
【００４２】
なお、本実施形態では、下カバー１０２は、２ヵ所で取り付けられている。すなわち、支持材１６０には下カバー取付片１６５が設けられている。
【００４３】
図７は、給水管または給湯管の近傍を拡大した模式的拡大図である。  
図２に表したように、支持材１６０は、第一の孔１６１ｂおよび第二の孔１６１ａを有する。図７に表したように、給水管２２０の先端部および給湯管２３０の先端部は、支持材１６０の孔第一の孔１６１ｂおよび第二の孔１６１ａを通して支持材１６０の内側（カバー１０５の内側）に進出する。給水管２２０には、先端側からフランジ付きナット１８５（ナット）が螺合により取り付けられている。同様に、給湯管２３０にも、先端側からフランジ付きナット１８７が螺合により取り付けられている。フランジ付きナット１８５は、ナット部から周囲に延びるフランジ部１８５ａを有する。フランジ付きナット１８７は、ナット部から周囲に延びるフランジ部１８７ａを有する。給湯管２３０の先端部の構造は、給水管２２０の先端部の構造と同様であるため、ここでは、給水管２２０の先端部を例に挙げる。なお、給水管２２０および給湯管２３０はそれぞれ、フランジ部１８５ａ、１８７ａと、壁２１０の裏側の給水管２２０および給湯管２３０に設けられたフランジ
２２０ａ、２３０ａとによって挟まれて壁２１０に固定される。なお、本実施形態における給水管２２０および給湯管２３０は、配管の先端に継ぎ手を取り付けて構成されており、壁２１０より表側に突出しているのは、継ぎ手の一部である。
【００４４】
支持材１６０の孔１６１の径は、給水管２２０に取り付けられたフランジ付きナット１８５のフランジ部１８５ａの径と略同じである。フランジ部１８５ａが支持材１６０の孔１６１内に収まるようにフランジ付きナット１８５は給水管２２０に取り付けられる。給湯管２３０にも同様にしてフランジ付きナット１８７が取り付けられる。
【００４５】
ここで、孔１６１の径は、給水管２２０に取り付けられたフランジ付きナット１８５のフランジ部１８５ａの径と略同じである。そのため、作業者がフランジ付きナット１８５をフランジ部１８５ａが支持材１６０の孔１６１内に収まるように取り付ける際に、支持材１６０をフランジ部１８５ａと壁２１０とで挟みこんでしまう場合がある。このように挟みこんだ状態では、給水管２２０と給湯管２３０との先端の相対位置のズレが大きくなるため、そのままカバー水栓１００の施工を継続すると、配管等の取付が非常に難しくなってしまう。
【００４６】
これに対して、本実施形態の支持材１６０は、孔１６１の周縁部に設けられた突起部１６３（突起）を有する。突起部１６３は、孔１６１の周縁部から前方に向かって延びている。突起部１６３の設置数は、特には限定されない。
【００４７】
これによれば、突起部１６３は、支持材１６０をフランジ部１８５ａと壁２１０とで挟みこんだ状態で施工が継続されることを抑制することができる。
【００４８】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、本発明における支持材に固定される第三の水栓機能部品は、複数の水栓機能部品をユニット化したものでも構わないし、個々の水栓機能部品でも構わない。
また、前述した各実施の形態が備える各要素は、技術的に可能な限りにおいて組み合わせることができ、これらを組み合わせたものも本発明の特徴を含む限り本発明の範囲に包含される。
【符号の説明】
【００４９】
１００ カバー水栓、  １０１ 上カバー、  １０２ 下カバー、  １０２ａ 孔、  １０５ カバー、  １１０ 水栓機能部品ユニット、  １１１ サーモユニット、  １１３ 流調ユニット、  １１５ ボタンユニット、  １１７ スパウト、  １２０ 第１の止水栓、  １２１ 操作部、  １２２ 溝、  １２３ 袋ナット、  １２３ａ めねじ、  １２５ 締結部、  １２７ 接続部、  １２８ パッキン、  １２９ 第１の配管、  １３０ 第２の止水栓、  １３１ 操作部、  １３２ 溝、  １３３ 袋ナット、  １３５ 締結部、  １３９ 第２の配管、  １４０ 回転抑制手段、  １４１ 孔、  １５０ 下カバー取付材、  １５１ 孔、  １５３ 孔、  １６０ 支持材、  １６３ 突起部、  １６５ 下カバー取付片、  １６６ 孔、  １７０ シャワーエルボ、  １８１ 締結部材、  １８３ 締結部材、  １８５ フランジ付きナット、  １８５ａ フランジ部、  １８７ フランジ付きナット、  １８７ａ フランジ部、  ２１０ 壁、  ２２０ 給水管、  ２２３ おねじ、  ２３０ 給湯管、１１９  被固定部、１６１ａ  第一の孔、１６１ｂ  第二の孔、１６１ａａ  内周面、１６１ｂａ  内周面、１６７ａ  周縁部、１６７ｂ  周縁部、１６７  基部、１６７ａ  周縁部、１６７ｂ  周縁部、１６４  前延部、１６８  基部、１６９  固定部、２１０ａ  貫通孔、２２０ａ  フランジ、２３０ａ  フランジ
【図１】
0006710909.tif 000002
【図２】
0006710909.tif 000003
【図３】
0006710909.tif 000004
【図４】
0006710909.tif 000005
【図５】
0006710909.tif 000006
【図６】
0006710909.tif 000007
【図７】
0006710909.tif 000008